【手続補正書】
【提出日】平成31年1月11日(2019.1.11)
【手続補正１】
【補正対象書類名】特許請求の範囲
【補正対象項目名】全文
【補正方法】変更
【補正の内容】
【特許請求の範囲】
【請求項１】
転換可能接着剤組成物であって、前記組成物の重量に基づく重量比にて、
１０％〜９９．８９％の接着剤成分と、
フリーラジカル重合により硬化可能な５％〜８０％の少なくとも１個の硬化性分子と、
０．０５％〜１０％の光開始剤と、を有し、
前記接着剤成分が、
（i）フリーラジカル重合以外の機構によりイソシアネートと架橋可能なポリエーテルまたはポリエステルポリオールであって、活性水素原子を含む平均で１個より多い官能基を有し、かつ、１００〜１，０００，０００ダルトンの範囲内の重量平均分子量を有する、該ポリエーテルまたはポリエステルポリオールと、
（ii）前記物質と架橋する平均で１個より多いイソシアネート官能基を有しかつ１００〜１，０００，０００ダルトンの範囲内の重量平均分子量を有する少なくとも１個のイソシアネートと、を有するポリマーである転換可能接着剤組成物において、
前記ポリエーテルまたはポリエステルポリオールが、３個以上のヒドロキシル官能基を有するか、または、前記イソシアネートの一部が２個より多いイソシアネート官能基を有する、転換可能接着剤組成物。
【請求項２】
前記硬化性分子が、以下の式（I）〜（V）の少なくとも１個のオリゴマーであり、前記オリゴマーが少なくとも５００ダルトンの重量平均分子量を有する、請求項１に記載の切り替え可能な接着剤組成物。
（I）ＣＡ（ＢＡ）ｎＣ
ここでｎは０，１，２，３または４であり、
Ａはジイソシアネート、ジエポキシド、ジオールまたはジカルボン酸であり；
Ａがジイソシアネートまたはジカルボン酸である場合、Ｂはジオールであり；
Ａがジエポキシドまたはジオールである場合、Ｂはジカルボン酸であり；
Ｃは、Ａがジイソシアネートまたはジカルボン酸である場合、ヒドロキシル含有アクリル酸エステルであり；
Ａがジエポキシドまたはジオールである場合、Ｃはアクリル酸である。
（II）Ｃ２Ｅ（ＢＣＥ）ｎＣ２
ここでｎは０，１，２，３または４であり、
Ｅはトリイソシアネート、トリエポキシド、トリオールまたはトリカルボン酸であり；
Ｅがトリイソシアネートまたはトリカルボン酸である場合、Ｂはジオールであり；
Ｅがトリエポキシドまたはトリオールである場合、Ｂはジカルボン酸であり；
Ｅがトリイソシアネートまたはトリカルボン酸である場合、Ｃはヒドロキシル含有アクリル酸エステルであり；
Ｅがトリエポキシドまたはトリオールである場合、Ｃはアクリル酸である。
（III）Ｅ（２ｎ＋１）ＦｎＣ（３ｎ＋３）
ここでｎは０，１，２，３または４であり、
Ｅはトリイソシアネート、トリエポキシド、トリオールまたはトリカルボン酸であり；
Ｅがトリイソシアネートまたはトリカルボン酸である場合、Ｆはトリオールであり；      Ｅがトリエポキシドまたはトリオールである場合、Ｆはトリカルボン酸であり；
Ｅがトリイソシアネートまたはトリカルボン酸である場合、Ｃはヒドロキシル含有アクリル酸エステルであり；
Ｅがトリエポキシドまたはトリオールである場合、Ｃはアクリル酸である。
（IV）Ｇ（ｎ＋１）ＢｎＣ（２ｎ＋４）
ここでｎは０，１，２，３または４であり、
Ｇはテトライソシアネート、テトラエポキシド、テトラオールまたはテトラカルボン酸であり；
Ｇがテトライソシアネートまたはテトラカルボン酸である場合、Ｂはジオールであり；    Ｇがテトラエポキシドまたはテトラオールである場合、Ｂはジカルボン酸であり；
Ｇがテトライソシアネートまたはテトラカルボン酸である場合、Ｃはヒドロキシル含有アクリル酸エステルであり；
Ｇがテトラエポキシドまたはテトラオールである場合、Ｃはジカルボン酸である。
（V）ＤＣ３
ここで、Ｄは、３個のジイソシアネート分子または線状三量体ビウレットまたはアロファネート構造からなる対称イソシアヌレート三量体環構造または非対称三量体イミノオキサジアジンジオン環構造であり、
Ｃはヒドロキシル含有アクリル酸エステルである。
【請求項３】
前記オリゴマーが５００〜１０，０００ダルトンの範囲内の重量平均分子量を有する、請求項２に記載の転換可能接着剤組成物。
【請求項４】
前記硬化性分子が不飽和化合物である、請求項１に記載の転換可能接着剤組成物。
【請求項５】
前記硬化性分子が１個より多い不飽和部位を有することを特徴とする請求項４に記載の転換可能接着剤組成物。
【請求項６】
前記硬化性分子が、メタクリル酸エステル、アルコールのアクリル酸エステル、アルコールのメタクリル酸エステル、グリコール、ペンタエリスリトール、トリメチルプロパン、グリセロール、脂肪族エポキシド、ビスフェノールＡエポキシドを含む芳香族エポキシド、脂肪族ウレタン、芳香族ウレタン、シリコーン、ポリエステル、ポリエーテル、およびそれらの混合物からなる群から選択される、請求項４に記載の転換可能接着剤組成物。
【請求項７】
前記組成物の重量に基づく重量比にて、
４０％〜９８％の接着剤成分と、
フリーラジカル重合によって硬化可能な２％〜６０％の硬化性分子と、
０．５％〜５％の光開始剤と、を有する、請求項１〜５のいずれかに記載の転換可能接着剤組成物。
【請求項８】
前記組成物の重量に基づく重量比にて、
６０％〜９５％の接着剤成分と、
フリーラジカル重合により硬化可能な５％〜４０％の硬化性分子と、
０．５％〜５％の光開始剤と、を有する、請求項１〜６のいずれかに記載の転換可能接着剤組成物。
【請求項９】
前記組成物の重量に基づく重量比にて、
７０％〜８５％の接着剤成分と、
フリーラジカル重合により硬化可能な１５％〜３０％の硬化性分子と、
０．５％〜２％の光開始剤と、を有する、請求項１〜６のいずれかに記載の転換可能接着剤組成物。
【請求項１０】
転換可能接着剤組成物であって、前記組成物の重量に基づく重量比にて、
９０％〜９９．９５％の接着剤成分と、
０．０５％〜１０％の光開始剤と、を有し、
前記接着剤成分が、
（i）フリーラジカル重合以外の機構によりイソシアネートと架橋可能なポリエーテルまたはポリエステルポリオールであって、活性水素原子を含む平均で１個より多い官能基を有し、前記接着剤組成物が重量比にて９８％までの硬化性部分を含むように、その官能基の活性水素原子を含む部分がフリーラジカル重合により硬化可能な硬化性部分と反応して結合し、かつ、１００〜１，０００，０００ダルトンの範囲内の重量平均分子量を有する、該ポリエーテルまたはポリエステルポリオールと、
（ii）前記物質と架橋する平均で１個より多いイソシアネート官能基を有しかつ１００〜１，０００，０００ダルトンの範囲内の重量平均分子量を有する少なくとも１個のイソシアネートと、を有するポリマーである転換可能接着剤組成物において、。
前記ポリエーテルまたはポリエステルポリオールが、３個以上のヒドロキシル官能基を有するか、または、前記イソシアネートの一部が２個より多いイソシアネート官能基を有する、転換可能接着剤組成物。
【請求項１１】
フリーラジカル重合以外により架橋可能な１または複数の前記物質中の、活性水素原子を含む利用可能な官能基の少なくとも２０％が、硬化性部分に結合されている、請求項１０に記載の転換可能接着剤組成物。
【請求項１２】
前記硬化性部分が１個より多い不飽和部位を有する、請求項１０に記載の転換可能接着剤組成物。
【請求項１３】
前記組成物の重量に基づく重量比にて少なくとも０．１％の、イソシアネートに結合した少なくとも１個のアクリレート硬化性部分を有する、請求項１０〜１２のいずれかに記載の転換可能接着剤組成物。
【請求項１４】
前記硬化性部分が、イソシアネートと架橋可能な前記物質に結合した１または複数のペンダントアクリレート官能基をもつイソシアネート基を有する、請求項１０〜１３のいずれかに記載の転換可能接着剤組成物。
【請求項１５】
前記硬化性部分が、イソシアナトＣ１−６アルキル２−Ｃ０−６アルキルアクリレートまたはイソシアナトＣ１−３アルキル２−Ｃ０−３アルキルアクリレートを含む、請求項１４に記載の転換可能接着剤組成物。
【請求項１６】
前記硬化性部分が、イソシアナトエチルアクリレート、イソシアナトエチルメタクリレートイソシアナトエチル２−-エチルアクリレート、アクリル酸およびメタクリル酸から選択される、請求項１５に記載の転換可能接着剤組成物。
【請求項１７】
前記ポリオールがポリエーテルポリオールである、請求項１〜１６のいずれかに記載の転換可能接着剤組成物。
【請求項１８】
前記ポリオールがポリエステルポリオールである、請求項１〜１７のいずれかに記載の転換可能接着剤組成物。
【請求項１９】
前記ポリオールの重量平均分子量が２０００〜２０，０００ダルトンの範囲内である、請求項１〜１８のいずれかに記載の転換可能接着剤組成物。
【請求項２０】
前記ポリオールが平均で３個より多くかつ６個より少ないヒドロキシ官能基を有する、請求項１〜１９のいずれかに記載の転換可能接着剤組成物。
【請求項２１】
前記ポリオールが、エチレングリコール、プロピレングリコール、ブチルジオール、グリセロール、トリメチロールプロパンペンタエリスリトール、デキストロースおよびソルビトールのエトキシル化またはプロポキシル化された（必要に応じて、エチレンオキシドおよびプロピレンオキシドの混合物からランダム重合されるか、または、連続した反応中に別々に重合される）種、またはそれらのジエーテルおよびトリエーテルから選択される、請求項１〜２０のいずれかに記載の転換可能接着剤組成物。
【請求項２２】
前記イソシアネートの重量平均分子量が１００〜２０００ダルトンの範囲内である、請求項１〜２１のいずれかに記載の転換可能接着剤組成物。
【請求項２３】
前記イソシアネートが、ヘキサメチレンジイソシアネート、イソホロンジイソシアネート、トルエン２，４−ジイソシアネート、４，４’−メチレンビス（フェニルイソシアネート）、４，４’−メチレンビス（シクロヘキシルイソシアネート）、およびそれらのホモポリマーから選択される、請求項１〜２２のいずれかに記載の転換可能接着剤組成物。
【請求項２４】
前記イソシアネートがジオールとのジイソシアネート末端反応生成物である、請求項１〜２２のいずれかに記載の転換可能接着剤組成物。
【請求項２５】
前記イソシアネートが、平均で少なくとも２個のイソシアネート官能基を有するメタクリレートオリゴマーである、請求項１〜２２のいずれかに記載の転換可能接着剤組成物。
【請求項２６】
前記光開始剤が、チタノセン光開始剤；  チオニン／トリエタノールアミンを含む色素／共開始剤系；  染料／ホウ酸塩系；  カンファーキノン／第三級アミンを含む、染料／過酸化物系および１，２−ジケトン／共開始系から選択される、請求項１〜２５のいずれかに記載の転換可能接着剤組成物。
【請求項２７】
前記光開始剤が可視光反応性である、請求項１〜２６のいずれかに記載の転換可能接着剤組成物。
【請求項２８】
剥離速度１００ｍｍ／分、クロスヘッド速度２００ｍｍ／ｓの高密度ポリエチレン（ＨＤＰＥ）パネルを基材表面として用いたＦＩＮＡＴ試験方法ＦＴＭ１に従って測定したとき、転換後の前記接着剤の剥離力の低下が３０〜９９％である、請求項１〜２７のいずれかに記載の転換可能接着剤組成物。
【請求項２９】
転換後の前記接着剤の剥離力の低下が５０〜９５％である、請求項２８に記載の転換可能接着剤組成物。
【請求項３０】
請求項１〜２９のいずれかに記載の転換可能接着剤組成物を有する接着性医療用製品。
【請求項３１】
前記接着性医療用製品が、吸収性創傷パッドを含む接着性ドレッシングである、請求項３０に記載の接着性医療用製品。
【請求項３２】
前記接着性医療用製品が外科用切開ドレープである、請求項３０に記載の接着性医療用製品。
【請求項３３】
前記接着性医療用製品が創傷を覆うための細菌バリアであり、該細菌バリアが吸収性創傷パッドを有しない、請求項３０に記載の接着性医療用製品。
【請求項３４】
前記接着性医療用製品が、創傷の縁部を閉じるための皮膚閉鎖具である、請求項３０に記載の接着性医療用製品。
【請求項３５】
第１のキャリアフィルムと第２のキャリアフィルムとの間に配置された前記転換可能接着剤組成物の層を有し、前記キャリアフィルムの少なくとも１個が、前記接着剤組成物から離れた丹治フィルムの表面に光遮蔽層を含む、請求項３０〜３４のいずれかに記載の接着性医療用製品。
【請求項３６】
前記接着剤組成物が好適に皮膚に接着するために前記キャリアフィルムが皮膚に対して低表面エネルギーを有する、請求項３５に記載の接着性医療用製品。